(57)【特許請求の範囲】
【請求項１】
H.323ネットワーク（１００）に属し、該H.323ネットワーク以外の他のネットワーク（１６０）内をローミング中のH.323移動端末（１２０）への着呼をルーティングするための通信システムであって、
該H.323移動端末と当該着呼を受ける該H.323ネットワークの両方に対応する、該H.323ネットワークのアドレスを直接指定するオフィス番号（１６２）が、該H.323移動端末に割り当てられ、発呼側の加入者の該オフィス番号による着呼を受信し、
該H.323移動端末に対応する移動端末サービス（１８８）を適用し、
該オフィス番号を、該H.323移動端末に対応する移動局識別番号（１６４）に変換し、
該移動局識別番号を使用して該着呼を該H.323移動端末にルーティングする
該H.323ネットワーク内の該H.323ゲートキーパ（１８０）と、
該着呼を受信し、
該着呼を該H.323ゲートキーパに転送し、
該着呼を該他のネットワーク内の該H.323移動端末に転送する
H.323ネットワーク内のH.323ゲートウェイ（１５０）と、
を含むことを特徴とする通信システム。
【請求項２】
前記オフィス番号（１６２）を前記移動局識別番号（１６４）と対応付けた表（１８２）を、H.323ゲートキーパ（１８０）内に更に設けた請求項１による通信システム。
【請求項３】
前記移動局識別番号（１６４）が移動局統合サービス・ディジタル・ネットワーク番号である請求項１による通信システム。
【請求項４】
前記H.323移動端末（１２０）に対応する前記移動停止サービスの第１組（１８８）と前記移動端末（１２０）に対応する移動停止サービスの第２組（１８８）を記憶する前記H.323ゲートキーパ（１８０）内の前記H.323移動端末（１２０）に対応する第１加入者記録（１８５）を更に設け、該H.323ゲートキーパ（１８０）が、前記着呼（１６１）が前記他のネットワーク（１６０）内の前記H.323移動端末（１２０）に接続できない場合に該着呼（１６１）に前記移動停止サービスの第２組（１８８）を適用する請求項１による通信システム。
【請求項５】
前記他のネットワーク（１６０）が公衆地上移動通信網（１６０ｂ）であり、該公衆地上移動通信網（１６０ｂ）内にゲートウェイ移動交換局（１９５）を更に設け、前記H.323ゲートキーパ（１８０）が前記移動局識別番号（１６４）を含む前記着呼（１６１）を該ゲートウェイ移動交換局（１９５）に転送する請求項１による通信システム。
【請求項６】
前記H.323移動端末（１２０）に関するルーティング情報（１９８）を記憶する、H.323移動端末（１２０）に対応した第２加入者記録（１５２）を有し、該ルーティング情報（１９８）を前記ゲートウェイ移動交換局（１９５）に送信するためのホーム位置レジスタ（１５５）を更に設けた請求項５による通信システム。
【請求項７】
前記ホーム位置レジスタ（１５５）が前記公衆地上移動通信網（１６０ｂ）内に設けてある請求項６による通信システム。
【請求項８】
前記ホーム位置レジスタ（１５５）が前記H.323ネットワーク（１００）内に設けてある請求項６による通信システム。
【請求項９】
前記H.323移動端末（１２０）と無線通信を行うサービス提供移動交換局（１６５）であって、該ルーティング情報（１９８）が該サービス提供移動交換局（１６５）のアドレスであり、該ゲートウェイ移動交換局（１９５）が該アドレス（１９８）を使用して前記着呼（１６１）を該サービス提供移動交換局（１６５）に転送し、該H.323移動端末（１２０）との通話接続を確立しようとするサービス提供移動交換局（１６５）を設けた請求項６による通信システム。
【請求項１０】
着呼を、H.323ネットワーク（１００）に属し、該H.323ネットワーク以外の他のネットワーク（１６０）内をローミング中のH.323移動端末（１２０）にルーティングするための方法であって、
該H.323移動端末と当該着呼を受ける該H.323ネットワークの両方に対応する、該H.323ネットワークのアドレスを直接指定するオフィス番号（１６２）が、該H.323移動端末に割り当てられ、発呼側の加入者の該オフィス番号による着呼を受信し、
該着呼は該H.323ネットワーク内の該H.323ゲートキーパにより受信し、
該着呼に対して、該H.323移動端末に対応する移動端末サービス（１８８）を、該H.323ゲートキーパにより適用し、
該H.323ゲートキーパによって、該オフィス番号を、該H.323移動端末に対応する移動局識別番号（１６４）に変換し、
該移動局識別番号を使用して、該着呼を該H.323ゲートキーパから該H.323移動端末にルーティングする
過程を有することを特徴とする方法。
【請求項１１】
前記転送する過程が、
前記H.323ネットワーク（１００）外の発呼側の加入者（１６８）から前記オフィス番号（１６２）に宛てられた前記着呼（１６１）を該H.323ゲートウェイ（１５０）によって受信し、
該着呼（１６１）を該H.323ゲートウェイ（１５０）から該H.323ゲートキーパ（１８０）にルーティングする過程を更に有する請求項１０による方法。
【請求項１２】
前記変換する過程が、
前記H.323ゲートキーパ（１８０）内の、前記オフィス番号（１６２）を前記移動局識別番号（１６４）に対応付けた表（１８２）をアクセスする過程を更に有する請求項１０による方法。
【請求項１３】
前記H.323ゲートキーパ（１８０）内の前記H.323移動端末（１２０）に対応する 第１加入者記録（１８５）に、該H.323移動端末（１２０）に対応する移動停止サービスの第１組（１８８）と該H.323移動端末（１２０）に対応する移動停止サービスの第２組（１８８）とを記憶し、
前記呼（１６１）を前記他のネットワーク（１６０）内の該H.323移動端末（１２０）に接続することができない場合、前記H.323ゲートキーパ（１８０）によって該移動停止サービスの第２組（１８８）を適用する過程を更に有する請求項１０による方法。
【請求項１４】
前記他のネットワーク（１６０）が公衆地上移動通信網（１６０ｂ）であり、前記移動局識別番号（１６４）を含む前記着呼（１６１）を、前記H.323ゲートキーパ（１８０）から該公衆地上移動通信網（１６０ｂ）内のゲートウェイ移動交換局（１９５）に転送する過程を更に含む請求項１０による方法。
【請求項１５】
前記ルーティングの過程が、
前記H.323移動端末（１２０）に対するルーティング情報（１９８）の要求を前記ゲートウェイ移動交換局（１９５）から、前記移動局識別番号（１５２）を使用して該H.323移動端末（１２０）に対する該ルーティング情報（１９８）を記憶するための該H.323移動端末（１２０）に対応する第２の加入者記録（１５２）を有するホーム位置レジスタ（１５５）に送信し、
該ホーム位置レジスタ（１５５）によって、該H.323移動端末（１２０）に対応する該ルーティング情報（１９８）を検索し、
該ルーティング情報（１９８）を該ホーム位置レジスタ（１５５）から該ゲートウェイ移動交換局（１９５）に送信する過程を更に有する請求項１４による方法。
【請求項１６】
前記ルーティングの過程が、
前記ルーティング情報（１９８）を使用して、前記移動局識別番号（１６４）を含む前記着呼（１６１）を前記ゲートウェイ移動交換局（１９５）から該H.323移動端末（１２０）と無線通信中のサービス提供移動交換局（１６５）にルーティングし、
前記サービス提供移動交換局（１６５）によって、前記H.323移動端末（１２０）と通話接続を確立しようとする過程を更に有する請求項１５による方法。
【発明の詳細な説明】
【０００１】
【発明の技術分野】
本発明は、一般にローカル・エリア・ネットワークにおいてH.323アーキテクチャーを導入するための、特にローミング中の移動端末の移動停止呼にサービス透明性を提供するための通信方式及び方法に関するものである。
【０００２】
【発明の背景及び目的】
かつては、ワイド・エリア・ネットワーク（ＷＡＮ）とローカル・エリア・ネットワーク（ＬＡＮ）を区別することは比較的簡単なことであり、その相違点が明瞭であった。しかし、現在ではワイド・エリアとローカル・エリアなるものははっきりとした定義がなくなりつつあるため、ＷＡＮとＬＡＮを区別することは益々困難になってきた。例えば、１９８０年代では、一般的にＬＡＮは特定のビル又はキャンパス内に限られており、そのコンポーネントは互いに数百メートルの範囲内に配置されたものである。今では、ＬＡＮは数十キロに及ぶことさえある。
【０００３】
とは言え、まったく違いがない訳でもない。ＷＡＮは通常では第三者によって提供されるものである。例えば、多くのＷＡＮは、電話会社や公衆情報網（ＰＤＮ）業者等が所有し、リソースを管理し、そのサービスをユーザに提供する形の公衆ネットワークと称するものである。それに対して、ＬＡＮは通常私有である。その配線や構成装置は私企業が購入し、管理する。
【０００４】
当初のＬＡＮは、１次端末が接続された装置（２次端末）の動作を制御する構造の非インテリジェントのユーザ・ワークステーションを補助するために開発されたものである。しかし、このような主従属プロトコルは重く、鈍いため、やがて時代遅れになった。そこで、イーサネットＬＡＮやトークン・リングＬＡＮ等、新しい種類のＬＡＮが登場した。イーサネットＬＡＮ及びトークン・リングＬＡＮはデータ・アプリケーション用に開発されたものであり、１０Ｍｂｉｔ／ｓ以上、Ｇｂｉｔ単位までの転送速度に対応した共有媒体（それぞれバス又はリング）を利用する。しかし、共有媒体は、混雑時にはユーザによって反応が鈍くなることがあり、応答時間やスループットの劣化の原因になる。そのため、エンド・ユーザに対する容量を増加させるため、スイッチ・イーサネットＬＡＮが開発された。スイッチ・イーサネットＬＡＮでは、媒体をそのまま共有しない。その代わり、スイッチ・イーサネットＬＡＮでは、ユーザの端末とスイッチ間でポイント・ツー・ポイントの帯域を提供する。スイッチ・イーサネットＬＡＮと並行して開発されているのは、マルチメディア・アプリケーションに対応する超高速ＡＴＭスイッチを利用した非同期転送モード（ＡＴＭ）ＬＡＮである。
【０００５】
スイッチ・イーサネットやＡＴＭのように、通信網の物理的特徴を規定するネットワーク・アーキテクチャ以外の面では、ネットワーク上のホスト間のデータ交換にインターネット・プロトコル（ＩＰ）を使用するＬＡＮが増えてきた。データは、データグラム（以下パケットと称する）単位で交換され、コネクションレス・ネットワーク・サービスを使用して伝送される。よって、ＩＰでは、データが確実に届くことやパケットのシーケンス等は保証しない。そのため、このような機能はトランスミッション・コントロール・プロトコル（ＴＣＰ）又はユーザ・データグラム・プロトコル（ＵＤＰ）等の上位レイヤによって提供する必要がある。即ち、ＴＣＰによって、データに誤りがなく、正しい順番であることが保証される。一方、データの正確さをそれほど問わない場合、メッセージ等を伝送するためにＵＤＰコネクション対応サービスを使用するアプリケーションもある。
【０００６】
ＩＰルーティング・プロトコルを使用してＬＡＮを介して送信側のホスト・コンピュータから受信側のホスト・コンピュータまでデータを伝送する場合、送信側のホスト・コンピュータから送られたデータを、ＩＰヘッダを含むＩＰパケット内にカプセル化する。ＩＰヘッダは受信側のホスト・コンピュータのアドレスを指定する。そして、ＩＰパケット及びヘッダをＩＰルータに送るため、イーサネットＬＡＮ等の中継ネットワークの特定プロトコル内にＩＰパケット及びヘッダを更にカプセル化することができる。
【０００７】
中継ネットワークがＩＰパケット及びヘッダをＩＰルータに届けた後、ＩＰルータは制御情報を取り出し、パケット・ヘッダ内の転送先アドレスを参照してトラヒックの経路を指示する。その後、ＩＰルータは、ＬＡＮ上のイーサネット等のサブネットワーク・アクセス・プロトコルを呼び出し、パケットをサブネットワークに戻す。このプロトコルは、パケット・ヘッダ及びユーザ・データを、受信側のホスト・コンピュータに届けるためにサブネットワークが使用するヘッダやトレーラ内にカプセル化するためのものである。更に，ルータは他のＬＡＮやＷＡＮにデータを伝送するために使用することも可能である。
【０００８】
ＬＡＮはデータ通信用にコンピュータを繋ぐだけのものではなく、音声通信用に端末を繋ぐこともできる。例えば、ＬＡＮ上でマルチメディア通信サービスを提供するためにH.323アーキテクチャを導入したＬＡＮが増えてきた。H.323エンティティはパソコンに内臓させたものであっても、例えばテレビ電話や音声電話等の有線又は無線端末のような専用機器であっても良い。H.323エンティティは、ポイント・ツー・ポイント又はマルチポイント会議において、リアル・タイムの音声、動画及び／又はデータ通信機能を提供することができる。H.323システムは、Granberg O., "GSM on the Net", Ericsson Review; Thom G. A., "H.323: The Multimedia Communications Standard for Local Area Networks", IEEE Communications Magazine; Langによる国際特許出願ＷＯ９８１７０４８及びAlverhne M. et al., "GSM Services and Facilities for the User", Proceedings of the Nordic Seminar on Digital Land Mobile Radio Communications等により詳細な説明がなされている。
【０００９】
図１には、H.323システムを示す。第１のユーザが、例えばパソコン又はＩＰ電話等の第１H.323端末１２０にユーザ名及びパスワードを入力するなりしてログオンすると、第１H.323端末１２０は、第１H.323端末１２０の第１ユーザに対応する加入者記録１８５のＩＰルーティングアドレス１８７を記憶したゲートキーパ１８０に登録及び認証制御信号（ＲＡＳ）メッセージ１１５を送信する。次いで、第２H.323端末１２５の第２ユーザが、例えば第１ユーザの電話番号又はユーザＩＤをダイヤルすることで第１ユーザに発呼すると、呼はＬＡＮバックボーン１１０を介してゲートキーパ１８０に送られ、ゲートキーパ１８０は第１H.323端末１２０のアドレス１８７を検索し、呼を第１H.323端末１２０宛てに再送する。第１及び第２H.323端末１２０、１２５間で接続が確立すると、ＩＰ音声パケットは必ずしもゲートキーパ１８０を経由せずに第１と第２H.323端末１２０、１２５間で送受信される。また、公衆ゲートウェイ（ＰＧ）１５０を介して公衆地上移動通信網（ＰＬＭＮ）／公衆交換電話網（ＰＳＴＮ）１６０に対する呼の送受信も可能である。ＩＰ音声パケットは、ＰＬＭＮ／ＰＳＴＮ１６０の形式に変換される前に、何れかの端末１２０又は１２５とＰＧ１５０間で送受信される。
【００１０】
しかし、図２に示すように、H.323端末１２０が携帯電話等の移動端末である場合、H.323移動端末１２０は、例えば移動加入者を特定する国際移動加入者識別（ＩＭＳＩ）番号１２２等を提示することでH.323ネットワーク１００内のセルラー通信網１９０を介してH.323ネットワーク１００にログオンすることができる。それ自体H.323端末と見なすことができる移動通信システム１９０は、移動管理を行い、H.323ネットワーク１００内のH.323移動端末１２０に送受信される呼を制御する移動交換局（ＭＳＣ）機能とチャネルの割当等無線関連の機能を制御する基地局制御局（ＢＳＣ）機能とを併せ持ったアクセス・ノード（ＡＮ）１３０、及び１つ以上のＡ−ｂｉｓゲートウェイ１４２とそれに従属するＢＴＳ１４０を有し、これらはすべてＬＡＮバックボーン１１０に接続される。ＢＴＳ１４０はＡ−ｂｉｓゲートウェイ１４２を介してＬＡＮバックボーン１１０に接続される。Ａ−ｂｉｓゲートウェイ１４２は、ＢＴＳ１４２による回線交換信号とH.323ネットワーク１００によるパケット交換信号との間の変換を行う。ＢＴＳ１４０は、エア・インタフェース１４６を介してＭＳ１２０に対してデータ及び制御メッセージを送受信するための送受信機として機能する。
【００１１】
無線音声通信は、ＬＡＮバックボーン１１０を介して、Ａ−ｂｉｓゲートウェイ１４２間、Ａ−ｂｉｓゲートウェイ１４２とＰＧ１５０間又はＡ−ｂｉｓゲートウェイ１４２とＵＤＰ／ＩＰによって他のH.323端末（図１に示す１２０又は１２５）間で送受信される。上述の通り、ＰＧ１５０はパケット交換式のH.323通信網１００と回線交換式の公衆電話網、即ちＰＬＭＮ／ＰＳＴＮ１６０との間の相互接続を実現する。音声及びデータはH.323ネットワーク１００と、インターネット１７５をＩＰルータ１７０を用いて伝送される。
【００１２】
H.323ネットワーク１００内のセルラー・ネットワーク１９０に、H.323移動端末１２０の位置情報と、H.323ネットワーク１００に属するH.323移動端末１２０に対応するH.323ネットワーク１００に関係ない加入者情報を記憶するためのホーム位置レジスタ（ＨＬＲ）１５５を更に設けることができる。但し、H.323ネットワーク１００に属する加入者に提供されるサービスに関する固定情報はすべてゲートキーパ１８０内に記憶され、ゲートキーパ１８０はH.323加入者が現在H.323ネットワーク１００内に存在するかを求める。例えば、H.323ネットワーク１００は加入者に呼転送サービスを提供し、このサービスに加入することが可能である。よって、H.323ネットワーク１００の提供者は、H.323ネットワークに登録されている各加入者のニーズに合ったサービスを提供することができる。
【００１３】
しかし、次に図３を参照すると、H.323ネットワーク１００のゲートキーパ１８０内のH.323移動端末１２０に対応する加入者記録１８５に加入者サービス１８８が記憶されたH.323移動端末１２０がH.323ネットワーク１００外のＰＬＭＮ１６０の中にローミングすると、H.323移動端末１２０はH.323移動端末１２０が位置するＰＬＭＮ１６０を管理するＭＳＣ１６５に対して位置更新１２５を行う。管理しているＭＳＣ１６５は位置更新メッセージを、ＭＳＣ１６５のアドレス１６６とともにH.323移動端末１２０に対応するＨＬＲ１５５に送信する。ＨＬＲ１５５はこのＭＳＣアドレス１６６を、ＨＬＲ１５５内のH.323移動端末１２０に対応する加入者記録１５８に記憶し、H.323移動端末１２０に対応する加入者情報１５９をＭＳＣ１６５に転送する。
【００１４】
しかし、H.323ネットワーク１００内に登録された加入者に提供されるサービスに関する固定H.323加入者情報１８８はゲートキーパ１８０内に記憶されているため、ＭＳＣ１６５はこの固定H.323加入者情報１８８を受信しない。ここで、ＨＬＲ１５５がH.323ネットワーク１００内に配置された場合を示す。しかし、ＨＬＲ１５５はH.323ネットワーク１００外に位置することも可能である。
【００１５】
よって、H.323ネットワーク１００内又は図に示すようにH.323ネットワーク１００外に位置する加入者からローミング中のH.323移動端末１２０に呼が届いた場合、現在ではH.323ネットワーク１００内のゲートキーパ１８０にＭＳＣ１６５と通信を行い、ＭＳＣ１６５にH.323移動端末１２０が加入している呼停止サービス１８８等を知らせるための手段が存在しない。このような呼停止サービス１８８には、例えば着信転送、着信拒否又は発呼者ＩＤ等がある。その結果、H.323移動端末１２０に対応する呼停止サービス１８８をH.323移動端末１２０に提供することができない。
【００１６】
よって、本発明の目的は、ローミング中のH.323移動端末に移動停止呼のためのサービス透明性を提供することである。
【００１７】
【発明の概要】
本発明は、ローミング中の移動端末の移動停止呼にサービス透明性を提供するための通信方式及び方法に関するものである。H.323移動端末にオフィス番号と通常の移動局統合サービス・ディジタル・ネットワーク（ＭＳＩＳＤＮ）番号を両方割り当てる。H.323移動端末のＭＳＩＳＤＮは、H.323移動加入者又はそれ以外の人にも開示されない。ＭＳＩＳＤＮをダイヤルすることでH.323移動端末を掛けることはできない。H.323移動端末は、オフィス番号をダイヤルすることで掛ける。ＭＳＩＳＤＮは、ＰＬＭＮ及びH.323システム内で呼を適切にルーティングするために使用される。よって、H.323移動端末へ発呼しようとする場合、その呼は必ずH.323ゲートキーパに導かれる。H.323移動端末がH.323ネットワークに登録されている場合、通常の通り、H.323ゲートキーパからH.323移動端末に転送される。しかし、H.323移動端末がH.323ネットワーク外にローミングした場合、H.323ゲートキーパはH.323移動端末に対応する移動停止サービスを適用し、H.323移動端末のＭＳＩＳＤＮを使用してH.323移動端末を管理中のＰＬＭＮに呼をルーティングすることができる。そのＰＬＭＮで呼を実現させることができない場合、呼はH.323ネットワークに戻り、H.323ゲートキーパによって適切に移動停止サービスが適用される。
【００１８】
【好適な実施形態の詳細な説明】
本発明の新規なる特徴を、好適な実施形態の例を参照して説明する。但し、これらの実施形態はこの発明の新規の特徴の数多い例の内のいくつかに過ぎないことは自明であろう。一般的に、本発明を説明するにあたってここで言及する事項は各請求項による発明を必ずしも限定するものではない。更に、すべての説明がすべての特徴に当て嵌まるわけではない。
【００１９】
ここで、図４を参照すると、H.323ネットワーク１００内又は図示するようにその外に位置する加入者１６８からローミング中のH.323移動端末１２０への移動停止呼１６１のサービス透明性は、H.323移動端末１２０に移動端末識別番号１６４、即ち移動局統合サービスディジタル・ネットワーク（ＭＳＩＳＤＮ）番号の他に、オフィス番号１６２も割り当てることで実現することができる。例えば、グローバル移動通信システム（ＧＳＭ）による公衆地上移動通信網（ＰＬＭＮ）では、移動端末はＭＳＩＳＤＮによって指定される。よって、発呼側の加入者（固定又は移動）が移動端末宛てに発呼したい場合、発呼側の加入者は移動端末のＭＳＩＳＤＮをダイヤルする。呼は移動加入者が現在位置するＰＬＭＮにルーティングされ、そこで呼は移動端末に導かれる。
【００２０】
H.323ネットワーク１００にＧＳＭアクセスを可能とすることで、H.323ネットワーク１００内の加入者（図示せず）の他に、H.323ネットワーク１００外の加入者１６８によってもH.323移動端末１２０をアクセスすることができる。図４に示すように、発呼側の加入者１６８がH.323ネットワーク外である場合、E.164による番号付け方式を使う必要がある。そのE.164番号はH.323移動端末１２０のＭＳＩＳＤＮ１６４であっても良い。しかし、H.323移動端末１２０のアドレスを指定する番号にＭＳＩＳＤＮ１６４を使用しても、呼１６１がH.323ネットワーク１００によって制御される保証はない。例えば、上述の通り、H.323移動端末１２０がH.323ネットワーク１００外にローミングし、ＰＬＭＮ１６０ｂに到達した場合、H.323移動端末１２０宛ての呼はH.323ネットワーク１００には認識されない。よって、H.323移動端末１２０の停止サービス１８８はH.323ネットワーク１００によって制御されることはない。
【００２１】
従って、H.323ネットワーク１００を指定するオフィス番号１６２をH.323移動端末１２０に割り当てることで、H.323移動端末１２０に到着した呼１６１はすべてH.323１００を経由してルーティングすることができる。H.323移動端末１２０のＭＳＩＳＤＮ１６４はH.323ネットワーク１００によってH.323移動加入者その他には開示されない。よって、H.323移動端末１２０を更新するために、発呼側の加入者１６８はＭＳＩＳＤＮ１６４ではなくオフィス番号１６２をダイヤルする必要がある。ＭＳＩＳＤＮ１６４はＰＬＭＮ１６０ｂとH.323ネットワーク１００内で呼１６１を適切にルーティングするために使用される。H.323システム１００内では、ここで述べるオフィス番号１６２の代わりにH.323移動端末１２０のアドレスを指定するためにH.323移動端末１２０を示すものであれば何を使うか構わない。
【００２２】
よって、図４に関連して説明する図５に示す過程を参照して、H.323ネットワーク１００外、即ちＰＬＭＮ１６０ｂ又は図示するＰＳＴＮ１６０ａ内に位置する発呼側加入者１６８からH.323移動端末１２０宛てに呼１６１を発信する場合、発呼側の加入者１６８はH.323移動端末１２０に対応するオフィス番号１６２をダイヤルする（ステップ５００）。このオフィス番号１６２は、H.323ネットワーク１００内のH.323ゲートウェイ１５０に呼１６１をルーティングするためのH.323ネットワーク１００のE.164アドレスとして使用される（ステップ５０５）。H.323ゲートウェイ１５０がオフィス番号１６２宛ての呼１６１を受信する（ステップ５０５）と、H.323ゲートウェイ１５０は、H.225呼制御信号指定（Q.931）により呼１６１及びオフィス番号１６２をH.323ゲートキーパ１８０に転送する（ステップ５１０）。
【００２３】
H.323移動端末１２０がH.323ネットワーク１００内に登録されている場合（ステップ５１５）、H.323ゲートキーパ１８０は被呼側のH.323移動端末１２０に対応する、例えば呼転送又は着信拒否等の移動端末サービス１８８を適用することができる。次いで、その瞬間には移動端末サービス１８８を適用することが不可能であるため、又は移動端末サービス１８８を適用した結果、通常はH.323ゲートキーパ１８０をH.323セルラー・ネットワーク１９０に繋ぐローカル・エリア・ネットワーク（ＬＡＮ）バックボーン１１０を介するH.323呼制御信号指定によって行われるように、呼１６１をH.323ゲートキーパ１８０からH.323移動端末に転送する必要がある可能性がある。
【００２４】
しかし、図４に示すように、H.323移動端末１２０がH.323ネットワーク１００を出てＰＬＭＮ１６０ｂにローミングしてしまった場合（ステップ５１５）、H.323ゲートキーパ１８０は、H.323ゲートキーパ１８０内のH.323移動端末１２０に対応する加入者記録１８５に記憶された移動端末サービス１８８を適用することができる（ステップ５２５）。着信した呼１６１に対応する移動端末サービス１８８が存在しない場合、又は移動端末サービス１８８を適用した結果、H.323ゲートキーパ１８０は、その中の表１８２を参照してオフィス番号１６２に対応する被呼側のH.323移動端末１２０のＭＳＩＳＤＮ１６４を検索することができる。
【００２５】
H.323ゲートキーパ１８０がＭＳＩＳＤＮ１６４を求める（ステップ５３０）と、ＰＬＭＮ１６０ｂ内のゲートウェイ移動交換局（ＧＭＳＣ）１９５に、ＭＳＩＳＤＮ１６４を含む初期アドレス・メッセージ（ＩＡＭ）１６３を、H.323ゲートウェイ１５０を介して送信する（ステップ５３５）。ＧＭＳＣ１９５がＭＳＩＳＤＮ１６４を含むＩＡＭ１６３を受信する（ステップ５３５）と、ＧＭＳＣ１９５はH.323移動端末１２０に対応するホーム位置レジスタ（ＨＬＲ）１５５に、ＭＳＩＳＤＮ１６４をグローバル・タイトルとしてルーティング情報の要求１９６を送信する（ステップ５４０）。ＨＬＲ１５５はH.323ネットワーク１００外の状態を示したが、ＨＬＲ１５５がH.323ネットワーク１００内に位置することも可能である。
【００２６】
ルーティング要求１９６（ステップ５４０）に対して、ＨＬＲ１５５はＨＬＲ１５５に記憶されたH.323移動端末の加入者記録１５２をアクセスし、H.323移動端末１２０を現在管理している移動交換局／ヴィジタ位置レジスタ（ＭＳＣ／ＶＬＲ）１６５を求める。ＨＬＲ１５５は、管理しているＭＳＣ／ＶＬＲ１６５から、例えば移動局ローミング番号（ＭＳＲＮ）等のＭＳＣ／ＶＬＲ１６５を識別するためのローミング番号１９８を要求する（ステップ５４５）。管理しているＭＳＣ／ＶＬＲ１６５は、このＭＳＲＮ１９８をＨＬＲ１５５に戻し（ステップ５５０）、ＨＬＲ１５５はＭＳＲＮ１９８をＧＭＳＣ１９５に戻し（ステップ５５）、これはＭＳＩＳＤＮ１６４を含むＩＡＭ１６３を当該ＭＳＣ／ＶＬＲ１６５にルーティングするために使用される（ステップ５６０）。ＭＳＣ／ＶＬＲ１６５がＭＳＩＳＤＮ１６４を含むＩＡＭ１６３を受信する（ステップ５６０）と、ＭＳＣ／ＶＬＲ１６５はH.323移動端末１２０を呼出し（ステップ５６５）、H.323移動端末１２０が呼出しに応答する（ステップ５７０）と、発呼側の加入者１６８とH.323移動端末１２０との間に通話を確立する（ステップ５７５）。
【００２７】
H.3232移動端末１２０が呼出しに応答しない場合（ステップ５７０）、当該ＭＳＣ／ＶＬＲ１６５は、ＧＭＳＣ１９５及び公衆ゲートウェイ１５０を介して呼をH.323ゲートキーパ１８０（ステップ５８０）に戻すことができる。この際に、H.323ゲートキーパ１８０は呼１６１に更なる移動停止サービス１８８を追加することができる（ステップ５８５）。例えば、H.323移動加入者１２０は音声メール・サービスに加入している場合、H.323ゲートキーパ１８０は移動停止サービス情報１８８によってH.3232移動端末に対応する音声メール・システム（図示せず）と通話接続を設定することができる。
【００２８】
当業者には明らかであろう通り、本発明による新規の特徴は、様々な変更などを取り入れることで広い範囲の技術に適用することが可能である。よって、特許の保護の対象となる事項の範囲は、ここで述べた特定の実施形態の例によって限定的に解釈されるべきものではなく、上記の請求項によって規定されるものである。
【図面の簡単な説明】
【図１】  図１は、インターネット・プロトコルによるH.323ローカル・エリア・ネットワークにおけるコンポーネントを示すブロック図である。
【図２】  図２は、移動通信を提供するインターネット・プロトコルによるH.323ローカル・エリア・ネットワークにおけるコンポーネントを示すブロック図である。
【図３】  図３は、ローミングH.323移動端末に移動停止呼のための加入者サービスを提供する場合の問題点を示すものである。
【図４】  図４は、本発明の好適な実施形態による被呼H.323移動端末に対応する移動停止サービスにサービス透明性を付与するためのH.323ネットワーク外の加入者からローミング中のH.323移動端末への呼のルーティングを示すものである。
【図５】  図５は、図４に示したルーティング処理の実施例を示すフロー図である。
【図１】
0004991050.tif 000002
【図２】
0004991050.tif 000003
【図３】
0004991050.tif 000004
【図４】
0004991050.tif 000005
【図５】
0004991050.tif 000006